(57)【要約】【課題】ロック機構の構造が簡単で、部品点数が少ない伸縮式足場板を提供する。【解決手段】一対の足場板本体を足場板長さ方向相対移動自在に連結し、両足場板本体の対向する２つの足場板部材４，６間にロック機構Ｒを介装した伸縮式足場板において、ロック機構Ｒは、２つの足場板部材４，６の一方の足場板部材６に、係合用凹部ａを足場板長さ方向に一定ピッチで設け、他方の足場板部材４には、係合用凹部ａ側に対し進退移動する一対の可動片３１，３２であって、一方の可動片３１の係合突片３３が係合用凹部ａに係合したロック位置とそれから離脱したロック解除位置との間を進退移動する一対の可動片３１，３２と、回転軸３５から両可動片３１，３２と連動連結するように突出した連動用揺転双アーム３０と、両可動片３１，３２間に介装され、一方の可動片３１をロック位置及びロック解除位置に夫々一時的に保持するストッパー３４と、を設ける。【選択図】図５
2007247264.tif 000002
【特許請求の範囲】
【請求項１】
夫々複数の足場板部材からなる一対の足場板本体を足場板長さ方向に相対移動自在に連結し、両足場板本体の対向する２つの足場板部材間に両足場板本体の相対移動を阻止するロック機構を介装してなる伸縮式足場板において、
ロック機構は、両足場板本体の対向する２つの足場板部材の一方に、係合用凹部を足場板長さ方向に一定ピッチで設け、他方の足場板部材には、前記係合用凹部側に対し進退移動する隣り合う一対の可動片であって、一方の可動片にのみその先端部に係合突片を有し、この一方の可動片の係合突片が前記係合用凹部に係合したロック位置とそれから離脱したロック解除位置との間を進退移動する一対の可動片と、両可動片間に位置する回転軸から両可動片と連動連結するように突出した連動用揺転双アームと、両可動片間に介装され、一方の可動片をロック位置及びロック解除位置に夫々一時的に保持するストッパーとを設け、しかして一方の可動片を押してロック位置に前進移動させることにより、他方の可動片が連動用揺転双アームを介して後退移動し、他方の可動片を押して前進移動させることにより、一方の可動片が連動用揺転双アームを介してロック解除位置に後退移動するようになっている伸縮式足場板。
【請求項２】
ロック機構の一対の可動片、回転軸、連動用揺転双アーム及びストッパーは、前記他方の足場板部材の所要個所に装着されるロックボックスに取り付けてなる請求項１に記載の伸縮式足場板。
【請求項３】
ロック機構のストッパーは、一方の可動片に設けられた圧縮バネ及びこのバネの先端部に取り付けられて他方の可動片の対向側面に押し付けられる球体と、他方の可動片の対向側面にあって、前記一方の可動片のロック位置及びロック解除位置に対応する位置に夫々設けられた、球体が嵌脱自在な凹窪部とからなる請求項１又は２に記載の伸縮式足場板。
【請求項４】
ロック機構が介装される両足場板部材の一方に設けられる係合用凹部は、この一方の足場板部材にその長さ方向に一定ピッチで形成した孔部からなる請求項１〜３の何れかに記載の伸縮式足場板。
【発明の詳細な説明】
【技術分野】
【０００１】
本発明は、建築現場その他の作業場所での足場に使用される伸縮式足場板に関するもので、特に、夫々複数の足場板部材からなる一対の足場板本体を足場板長さ方向に相対移動自在に連結してなる伸縮式足場板であって、両足場板本体の対向する２つの足場板部材間に両足場板本体の相対移動を阻止するロック機構を介装した伸縮式足場板に関する。
【背景技術】
【０００２】
従来の伸縮式足場板として、例えば下記特許文献１に記載されたものが知られている。しかしながら、この伸縮式足場板におけるロック機構は、構造が複雑で部品点数が多く、製作コストが高くつく上に、故障が多いという問題点があった。
【特許文献１】特開２００４−４４２９５号公報
【発明の開示】
【発明が解決しようとする課題】
【０００３】
本発明は、上記従来の問題点に鑑み、ロック機構の構造が簡単で、部品点数も少なく、製作コストが安くつく上に、故障が少なく、使用寿命を延ばすことができる伸縮式足場板を提供することを目的とする。
【課題を解決するための手段】
【０００４】
上記課題を解決するための手段を、後述する実施形態の参照符号を付して説明すると、請求項１に係る発明は、夫々複数の足場板部材４，５，６，７，８からなる一対の足場板本体２，３を足場板長さ方向に相対移動自在に連結し、両足場板本体２，３の対向する２つの足場板部材４，６間に両足場板本体２，３の相対移動を阻止するロック機構Ｒを介装してなる伸縮式足場板において、
ロック機構Ｒは、両足場板本体２，３の対向する２つの足場板部材４，６の一方（足場板部材６）に、係合用凹部を足場板長さ方向に一定ピッチで設け、他方の足場板部材４には、前記係合用凹部側に対し進退移動する隣り合う一対の可動片３１，３２であって、一方の可動片３１にのみその先端部に係合突片３３を有し、この一方の可動片３１の係合突片３３が前記係合用凹部に係合したロック位置とそれから離脱したロック解除位置との間を進退移動する一対の可動片３１，３２と、両可動片３１，３２間に位置する回転軸３５から両可動片３１，３２と連動連結するように突出した連動用揺転双アーム３０と、両可動片３１，３２間に介装され、一方の可動片３１をロック位置及びロック解除位置に夫々一時的に保持するストッパー３４とを設け、しかして一方の可動片３１を押してロック位置に前進移動させることにより、他方の可動片３２が連動用揺転双アーム３０を介して後退移動し、他方の可動片３２を押して前進移動させることにより、一方の可動片３１が連動用揺転双アーム３０を介してロック解除位置に後退移動するようになっていることを特徴とする。
【０００５】
請求項２は、請求項１に記載の伸縮式足場板において、ロック機構Ｒの一対の可動片３１，３２、回転軸３５、連動用揺転双アーム３０及びストッパー３４は、前記他方の足場板部材６の所要個所に装着されるロックボックス２９に取り付けてなることを特徴とする。
【０００６】
請求項３は、請求項１又は２に記載の伸縮式足場板において、ロック機構Ｒのストッパー３４は、一方の可動片３１に設けられた圧縮バネ３８及びこのバネ３８の先端部に取り付けられて他方の可動片３２の対向側面に押し付けられる球体４０と、他方の可動片３２の対向側面にあって、前記一方の可動片３１のロック位置及びロック解除位置に対応する位置に夫々設けられた、球体４０が嵌脱自在な凹窪部４１，４２とからなることを特徴とする。
【０００７】
請求項４は、請求項１〜３の何れかに記載の伸縮式足場板において、ロック機構Ｒが介装される両足場板部材４，６の一方に設けられる係合用凹部は、この一方の足場板部材６にその長さ方向に一定ピッチで形成した孔部ａからなることを特徴とする。
【発明の効果】
【０００８】
上記解決手段による発明の効果を、後述する実施形態の参照符号を付して説明すると、請求項１に係る発明の伸縮式足場板によれば、ロック機構Ｒが、両足場板本体２，３の対向する２つの足場板部材４，６の一方の足場板部材６に足場板長さ方向一定ピッチで設けられる係合用凹部と、他方の足場板部材４に設けられる可動片３１，３２、連動用揺転双アーム３０及びストッパー３４とからなるもので、部品点数が少なく、構造が簡単であるから、足場板１の製作コストを安くできると共に、故障が少なく、使用寿命を伸ばすことができる。また、ロック機構Ｒの使用にあたっては、可動片３１，３２の夫々の後端部を押すだけでよいから、操作が非常に簡単である。
【０００９】
請求項２に係る発明によれば、可動片３１，３２、連動用揺転双アーム３０及びストッパー３４をロックボックス２９に取り付けることによって、ユニットにできるから、足場板部材４に対する取付け及び取外しが容易となる。
【００１０】
請求項３に係る発明によれば、ロック機構Ｒのストッパー３４は、一方の可動片３１に設けられた圧縮バネ３８及びこのバネ３８の先端部に取り付けられて他方の可動片３２の対向側面に押し付けられる球体４０と、他方の可動片３２の対向側面にあって、球体４０が嵌脱自在な凹窪部４１，４２とからなるため、ストッパー３４の構造が簡単で、コンパクトとなって、製作が容易となる。
【００１１】
請求項４に係る発明のように、ロック機構Ｒが介装される両足場板部材４，６の一方に設けられる係合用凹部が、この一方の足場板部材６にその長さ方向に一定ピッチで形成した孔部ａからなるため、足場板部材の重量が軽くなって、足場板の軽量化を図ることができる。
【発明を実施するための最良の形態】
【００１２】
以下に本発明の好適な実施形態を図面に基づいて説明すると、図１の(a) は本発明に係る伸縮式足場板１の全体概略斜視図、(b) は(a) の矢印Ｘにて示す部分の拡大図であり、図２は図１の(b) のＹ−Ｙ線拡大断面図である。この伸縮式足場板１は、足場板長さ方向に伸縮自在に組み合わされた一対の足場板本体２，３からなり、両足場板本体２，３は、図１の(b) 及び図２から分かるように、足場板幅方向に一定間隔をおいて互いに平行に配置された、夫々５本ずつの合計１０本の足場板部材４，５，６，７，８からなるもので、一方の足場板本体２の足場板部材４，５，５，５，５が他方の足場板本体３の足場板部材６，７，７，７，８相互間に足場板長さ方向に相対移動自在に配置されている。
【００１３】
一方の足場板本体２の足場板部材４，５，５，５，５の足場板長さ方向一端部及び他方の足場板本体３の足場板部材６，７，７，７，８の足場板長さ方向一端部は、夫々、バンドプレート９，１０によって相互に連結され、また一方の足場板本体２の足場板部材４，５，５，５，５の足場板長さ方向他端部及び他方の足場板本体３の足場板部材６，７，７，７，８の足場板長さ方向他端部は、夫々、全ての足場板部材４，５，６，７，８に亘るように外嵌されたバンドプレート１１，１２によって相互に連結されている。
【００１４】
図２は一方の足場板本体２の足場板部材４，５，５，５，５の他端部側が一方のバンドプレート１１によって相互連結された部分の断面構造を示したもので、この一方のバンドプレート１１は、一方の足場板本体２の足場板部材４，５，５，５，５の夫々他端部にビス１３止め（あるいはリベット止め）され、他方のバンドプレート１２は、図示は省略するが、他方の足場板本体３の足場板部材６，７，７，７，８の夫々他端部にビス１３止め（あるいはリベット止め）され、それによって両足場板本体２，３は、足場板長さ方向に相対移動自在で伸縮自在に連結されている。
【００１５】
また、図１及び図２に示すように、両足場板本体２，３の足場板長さ方向両端部には、夫々棒状体からなる伸縮操作用ハンドル２５，２６が設けられている。即ち、図１の(b)
は足場板本体３の一端部に設けられたハンドル２６を示しており、このハンドル２６は、足場板本体３を構成する足場板部材６，７，７，７，８の足場板幅方向両端部の足場板部材６，８の先端部間にブラケット２７，２７を介して横架されている。このように足場板本体３の足場板幅方向両端部の足場板部材６，８の先端部間にハンドル２６が横架されるため、その中間の足場板部材７，７，７の夫々先端部が切除され、しかしてこれら先端部が切除された足場板部材７，７，７とその両端側の足場板部材６，８とがバンドプレート１０によって相互に連結されている。足場板本体２の一端部に設けられたハンドル２５の取付構造も上記ハンドル２６と同様である。
【００１６】
上記一方の足場板本体２における足場板幅方向一端側の足場板部材４と、この足場板部材６に対向する、他方の足場板本体３の足場板幅方向一端側の足場板部材６との間には、両足場板本体２，３の相対移動を阻止して所要の伸縮位置にロックするためのロック機構Ｒが介装されている。
【００１７】
上記一対の足場板本体２，３を構成する全ての足場板部材４，５，６，７，８は、夫々アルミ押出型材からなり、これら全ての足場板部材４，５，６，７，８のうち足場板幅方向に関して最も外側にある２つの足場板部材４，８は、図２に示すように、夫々リップ付き溝型材からなるもので、その溝型材の開口部Ｏ側を外に向けて配置することによって、このリップ付き溝型材からなる足場板部材４，８のリップ部２３を手掛り部として利用することができる。
【００１８】
この足場板部材４，８は、図３の(a) に示すように、対向する側壁部２１，２１と両側壁部２１，２１をつなぐ底壁部２２と、各側壁部２１の先端部から内向きに略Ｌ字状に突設されたリップ部２３とによって溝形に形成されると共に、底壁部２２にはその幅方向中央部側に補強用凸条部２４が形成されており、そしてロック機構Ｒが介装される足場板部材４には補強用凸条部２４の所要個所に図示のようなロックボックス取付用開口部２８が設けられる。
【００１９】
また、図２から分かるように、一方の足場板本体２の一部を構成する足場板部材５と、他方の足場板本体３の一部を構成する足場板部材７とは同じ断面形状のアルミ押出型材、即ち断面が縦長矩形状の角筒状型材によって形成されたものである。
【００２０】
図３の(b) は、ロック機構Ｒが介装される足場板部材４と対向する足場板部材６、即ち一方の足場板本体２における足場板幅方向一端側の足場板部材４と対向する他方の足場板本体３の足場板幅方向一端側の足場板部材６を示す斜視図で、この足場板部材６は、両側一対の筒状部６ａ，６ａと両筒状部６ａ，６ａをつなぐ連結壁部６ｂとからなるもので、この連結壁部６ｂには係合用凹部としての孔部ａが足場板部材６の長さ方向に一定ピッチで多数形成されている。
【００２１】
次にロック機構Ｒについて説明すると、このロック機構Ｒが介装される両足場板部材４，６のうちの一方の足場板部材６にはその連結壁部６ｂに、上記のように係合用凹部としての孔部ａが足場板部材６の長さ方向に一定ピッチで多数形成され（図３の(b) 参照）、他方の足場板部材４にはその所要個所に、図３の(a) に示すようにロックボックス取付用開口部２８が設けられ、この開口部２８にロックボックス２９が嵌め込まれ、このロックボックス２９には、後述する一対の可動片３１，３２、連動用揺転双アーム３０、ストッパー３４等が取り付けられる。尚、足場板部材４のロックボックス取付用開口部２８に嵌め込まれたロックボックス２９は、ビス３８で固定され、またこのボックス２９には正面側に図４の(a) 及び(b) に示すようにカバー３９が取り付けられる。
【００２２】
ロックボックス２９に取り付けられる可動片３１，３２、連動用揺転双アーム３０、ストッパー３４等について説明すると、ロックボックス２９内には、２つの可動片３１，３２が隣り合った状態で足場板部材６の係合用凹部ａ側に対し一定ストロークだけ進退移動可能に嵌合配置されており、そして一方の可動片３１にのみ、その先端部に係合突片３３が突設されていて、この一方の可動片３１は、その係合突片３３が前記係合用凹部ａに係合したロック位置とその凹部ａから離脱したロック解除位置との間を進退移動するようになり、他方の可動片３２は、連動用揺転双アーム３０の揺転により一方の可動片３１とは逆方向に移動し、即ち一方の可動片３１が前進する時は後退し、それが後退する時は前進するように構成される。
【００２３】
連動用揺転双アーム３０は、両可動片３１，３２の間に位置するようにロックボックス２９に軸支された回転軸３５に取り付けられたもので、一対のアーム部３０ａ，３０ｂからなり、一方のアーム部３０ａは、一方の可動片３１に設けられた凹所３１ａに突入係合し、他方のアーム部３０ｂは、他方の可動片３２に設けられた凹所３２ａに突入係合し、しかして一方の可動片３１を前進方向に押してロック位置に前進移動させると、連動用揺転双アーム３０が時計回りに揺転して、他方の可動片３２が後退移動し、この他方の可動片３２を前進方向に押すと、連動用揺転双アーム３０が反時計回りに揺転して、一方の可動片３１がロック位置からロック解除位置へと後退移動するようになっている。両可動片３１，３２の夫々後端部には、ロック用押え部片３１ｂ、ロック解除用押え部片３２ｂが取り付けられている。
【００２４】
ストッパー３４は、図４及び図５から分かるように、一方の可動片３１に設けてあるバネ挿入孔３７に挿入された圧縮コイルバネ３８及びこの圧縮コイルバネ３８の先端部に取り付けられて、他方の可動片３２の対向側面に押し付けられる球体４０と、他方の可動片３２の対向側面の前後２箇所の所定位置に設けられて、球体４０が嵌脱自在な凹窪部４１，４２と、から構成されるもので、凹窪部４１は、一方の可動片３１がロック位置に来た時に球体４０が嵌合して、この一方の可動片３１を一時的に保持し（図５の(a) 参照）、また凹窪部４２は、一方の可動片３１がロック解除位置にきた時に球体４０が嵌合して、この一方の可動片３１をロック解除位置に一時的に保持する図４の(a) 参照）。
【００２５】
上記のように構成されるロック機構Ｒを備えた伸縮式足場板１の長さを調整する時は、先ず、図５に示されるように一方の可動片３１がロック位置に保持されている状態から、他方の可動片３２の後端部のロック解除用押え部片３２ｂを押動することにより、連動用揺転双アーム３０が枢軸３５を中心に反時計回りに揺転して、図４に示すように、一方の可動片３１をロック位置からロック解除位置へ後退させる。これによりロック機構Ｒのロックが解除されて、両足場板本体２，３は相対移動自在となる。この時、一方の可動片３１はストッパー３４によってロック解除位置に保持される。
【００２６】
こうしてロック解除位置に保持された状態の足場板１の両足場板本体２，３を相対移動させて、足場板１の長さを適宜に調整する。尚、両足場板本体２，３を相対移動させる時は、各足場板本体２，３の端部に設けてある伸縮操作用ハンドル２５，２６を掴むことによって、伸縮操作が容易となる。しかして、足場板１を所要長さに調整した後、一方の可動片３１の後端部のロック用押え部片３１ｂを押動すると、この一方の可動片３１がロック解除位置からロック位置へ前進移動して係合突片３３が足場板部材６の係合用凹部ａに係合し、ロック機構Ｒがロック状態となる。この時、この一方の可動片３１はストッパー３４によってロック位置に保持される。これによって、足場板１は調整した長さに保持固定されることになる。
【００２７】
以上説明したように、この伸縮足場板１においては、ロック機構Ｒが、両足場板本体２，３の対向する２つの足場板部材４，６の一方の足場板部材６に足場板長さ方向一定ピッチで設けられる係合用凹部である孔部ａと、他方の足場板部材４に設けられる可動片３１，３２、連動用揺転双アーム３０及びストッパー３４とからなるもので、部品点数が少なく、構造が簡単であるから、足場板１の製作コストを安くできると共に、故障が少なく、使用寿命を伸ばすことができる。そしてまた、ロック機構Ｒの使用にあたっては、可動片３１，３２の夫々の後端部の後端部であるロック用押え部片３１ｂとロック解除用押え部片３２ｂの何れかを押すだけでよいから、操作が非常に簡単となる。
【００２８】
また、上述の実施形態では、係合用凹部が一方の足場板部材６にその長さ方向に一定ピッチで形成した孔部ａからなるものであるが、係合用凹部は、このような足場板部材６に直接形成した孔部ａからなるものに限らず、凹部と凸部とを交互に連続して形成したラック部材を足場板部材６に取り付けるたものでもよい。但し、この実施形態のような足場板部材６に直接孔部ａを形成するようにすれば、足場板部材の重量が軽くなって、足場板の軽量化を図ることができる。
【００２９】
また実施形態のように、可動片３１，３２、連動用揺転双アーム３０及びストッパー３４をロックボックス２９に取り付けることによって、ユニットにできるから、足場板部材４に対する取付け及び取外しが容易となる。
【図面の簡単な説明】
【００３０】
【図１】(a) は本発明に係る伸縮式足場板の全体概略斜視図、(b) は(a) の矢印Ｘにて示す部分の拡大図である。
【図２】図１の(b) のＹ−Ｙ線拡大断面図である。
【図３】(a) はロック機構が介装される足場板部材の一方を示す斜視図、(b) は他方の足場板部材を示す斜視図である。
【図４】(a) はロック解除位置にあるロック機構の平面図、(b) はカバーを取り付けた状態のロック機構の正面図である。
【図５】(a) はロック位置にあるロック機構の平面図、(b) は縦断面図である。
【符号の説明】
【００３１】
１            伸縮式足場板
２，３        足場板本体
４〜８        足場板部材
Ｒ            ロック機構
２９          ロックボックス
３０          連動用揺転双アーム
３１          一方の可動片（係合突片を有する方の可動片）
３２          他方の可動片
３３          係合突片
３４          ストッパー
【図１】
2007247264.tif 000003
【図２】
2007247264.tif 000004
【図３】
2007247264.tif 000005
【図４】
2007247264.tif 000006
【図５】
2007247264.tif 000007